(57)【要約】      （修正有）【課題】医療用粘着袋を提供する。【解決手段】紙シート１０表面の外周区域に印字区域と、少なくとも一つの変色インクを設け、前記紙シート一端の表面に粘着テープ１４と、裁断線１５とを設ける。プラスチックフィルム２０は一つの開口部２１を残し、他の３つの辺に３本の貼り合わせ線を前記紙シートにシールしておき、開口部は粘着テープに向かって設け、３本の貼り合わせ線のうち、一番内側の短い貼り合わせ線は、中央部がアーチ状で両端がしゃくし形の屈折を形成し、他の貼り合わせ線と連絡しない。しゃくし形区域は消毒変色インクの所在空間である。消毒剤は紙シートから裏面に進入する。前記消毒剤は所定の場所に印字されているため完全に侵入でき、消毒の完備性を確認できる。さらに、３本の貼り合わせ線を有し、そのうちの１本はアーチ状のため、貼り合わせ線は消毒釜で重ね置きしても破れにくい。【選択図】図２
0003153929.tif 000002
【実用新案登録請求の範囲】
【請求項１】
医療用粘着袋であって、
紙シートと、プラスチックフィルムと、からなり、
前記紙シートの縁部に印字区域を設け、該印字区域は医療用粘着袋の袋内部空間の使用範囲の外部に設け、前記紙シート表面の所定位置に少なくとも一つの消毒変色インクが印字され、前記紙シート一端の表面に粘着テープを設け、前記粘着テープと前記紙シートとの間に裁断線を設け、
前記プラスチックフィルムの一つの辺を開口部とし、他の３つの辺を３本の貼り合わせ線によって前記紙シートの表面にシールし、前記開口部は前記粘着テープに向かって設け、前記３本の貼り合わせ線のうち、開口部と対向する辺の一番内側に設ける短い貼り合わせ線は、中央部がアーチ状で両端がしゃくし形の屈折を形成し、前記短い貼り合わせ線は他の貼り合わせ線と連絡せず、前記しゃくし形によって囲まれた空間は前記消毒変色インクの取付け空間であることを特徴とする、
医療用粘着袋。
【請求項２】
２種の前記消毒変色インクを設けることを特徴とする請求項１記載の医療用粘着袋。
【考案の詳細な説明】
【技術分野】
【０００１】
本考案は一種の医療用粘着袋に係わり、特に一種の破れにくいプラスチックフィルムにより、内容物を一定場所に入れるとき、水性インクはプラスチックフィルム内部に汚染を引き起こさないものを提供する。その貼り合わせ線は３本を設ける。そのうちの１本はアーチ状の保護テープを形成し刺されても破れにくい。さらに、消毒変色インクは袋内部の特定場所に印字されるため、消毒剤と密着でき、消毒の完備性を確認できる。
【背景技術】
【０００２】
医療器材は使用した後に、所定の清浄化処理を実施し、これらの医療器材を医療用粘着袋によりシールした後に、消毒釜に入れて、消毒剤蒸気、エチレンオキシドなどで消毒する。医療用粘着袋は、その一面は紙シートであり、他の一面はフィルムである。消毒剤は紙シート方向のみに進入され、袋内の器材の消毒を行う。
【０００３】
公知技術に係る医療用粘着袋は紙シートの底面区域に文字が印字されおり、粘着テープの離型紙に変色インクを印字する。紙シートの一端面に粘着テープと裁断線を粘着する。フィルムの一辺に開口部を設け、他の３つの辺は貼り合わせ線は３本でもって、紙シートにシールさせる。開口部は粘着テープ側に設け、前記３本の貼り合わせ線は粘着テープの遠端にＶ字型を形成する。プラスチックフィルムは、破れ易いフィルムであり、粘着テープにより、器材を医療用粘着袋に入れた後、粘着テープの離型紙を粘着テープから剥がし、離型紙に変色インクが印字されている面はフィルムに向かって、医療用粘着袋に入れて、粘着テープを折り返して、医療用粘着袋の唯一の開口部をシールする
【考案の概要】
【考案が解決しようとする課題】
【０００４】
しかしながら、前記公知技術に係る医療用粘着袋は、以下の欠点を有する。
イ．公知技術に係る変色インクは離型紙に印刷されており、外部にさらせている。手で接触して剥がした後、離型紙を医療用粘着袋に入れ。しかし、離型紙はすでに細菌に感染されている恐れがあり、これを医療用粘着袋に入れることは適当と言えない。
【０００５】
ロ．消毒剤と文字印刷は消毒プロセスで、インクが医療用粘着袋に侵入してしまい、内容物が汚染される恐れがある。
【０００６】
ハ．前記３本の貼り合わせ線は、Ｖ字型を形成しているため、消毒釜内部で複数の袋体が重ね合い、Ｖ字型貼り合わせ線は固い内容物を入れた医療用粘着袋と重ね合わせた状態で、破れる恐れがある。
【課題を解決するための手段】
【０００７】
前記公知技術に存在する問題点について、より理想的、実用的の斬新機構を開発することが、消費者の望むことであり、業者の研究開発の目標と方向である。
よって、本考案は長年の関連製品に関する製造、開発及び設計経験に基づいて、前記目標に対して、設計と慎重評価を重ねて行った結果、実用性を有する本考案が考案された。
【０００８】
本考案で解決しようとする技術課題は、公知技術に係る変色インクは離型紙に印刷されており、外部にさらせている。手で接触して剥がした後、離型紙を医療用粘着袋に入れ。しかし、離型紙はすでに細菌に感染されている恐れがあり、これを医療用粘着袋に入れることは適当と言えない。さらに、消毒剤と文字印刷のインクは紙シートの背面から医療用粘着袋内部に侵入し、内容物を汚染する恐れがある。其在消毒鍋内會有多袋的醫用自黏袋疊置，比較容易造成醫用自黏袋被刺破之情形發生。３本のＶ字型貼り合わせ線は、消毒釜内部に複数の医療用粘着袋を重ね置き、固い内容物を入れた医療用粘着袋と重ね合わせた状態で、破れる恐れがある。
【０００９】
紙シートと、紙シート表面の使用区域外の領域に文字が消毒インクによって、紙シート表面の特定位置に印字する、一種の医療用粘着袋を提供することを本考案の主な目的である。紙シートの一端面に粘着テープを設ける。粘着テープと紙シートとの間に裁断線を設ける。フィルムは一つの開口部を設け、他の３つの辺に３本の貼り合わせ線を設けて、紙シートにシールしておき、開口部は粘着テープの位置に向かって設け、この３本の貼り合わせ線のうち、一番内側の短い貼り合わせ線は中央部がアーチ状で両端がしゃくし形の屈折を形成し、この短い貼り合わせ線は他の貼り合わせ線に連絡しないように設け、しゃくし形で囲まれた空間を消毒変色インクの収納空間とする。これにより、消毒剤が紙シートを介して裏面に進入させる。表面に印刷するため、インク侵入の問題がない。さらに、３本の貼り合わせ線のうち、アーチ状の貼り合わせ線は消毒釜内部で重ね置きしても、固い内容物によって破れにくい。消毒剤はしゃくし形の空間を通して変色インクを変色させる。さらに、プラスチックフィルムは破れにくいフィルムであり、破れることなく紙シートと完全に分離でき、内容物を所定の場所に入れることができる。
【考案の効果】
【００１０】
公知技術には、離型紙投入前に汚染と、インク印字背面の問題と３本のＶ字型貼り合わせ線が破れる恐れがある。これに対して、本考案に係る医療用粘着袋は、インクは紙シートの使用区域の外表面に印字され、フィルムによって裏面にシールされているため、接触または細菌感染の問題がない。そのうえ、外部の消毒変色インクは紙シート表面の周辺に印字されているため、内容物を汚染することがない。さらに、袋内部に設けられた短い貼り合わせ線はアーチ状で両端がしゃくし形に仕上げており、保護区域を形成し、消毒袋の完全性が確保される。
【図面の簡単な説明】
【００１１】
【図１】本考案の一実施例の立体分解図である。
【図２】本考案の一実施例の立体態様図である。
【図３】本考案の一実施態様図である。および
【図４】本考案もう一つの一実施態様図である。
【考案を実施するための形態】
【００１２】
[実施例]
本考案の技術、手法およびその効果に対して、より深く認識と理解を図るため、実施例を図面に合わせて、以下の通り詳細説明する。
【００１３】
図１と図２に示す通り、本考案に係る医療用粘着袋は、紙シート１０を有し、紙シート１０表面の縁部に文字を印字するための印字区域１１を設け、その後に仕上げる医療用粘着袋の印字区域１１は、医療用粘着袋の袋内部空間１２の使用区域外に設けることにより、消毒紙シート１０の破損とインク汚染を避けられる。紙シート１０表面の所定位置に２つの消毒変色インク１３ａ、１３ｂが印字され、紙シート１０一端の表面に離型紙１４１の粘着テープ１４が粘着され、粘着テープ１４と紙シート１０との間に裁断線１５を有する。
【００１４】
フィルム２０を有し、前記フィルム２０に一つの開口部２１を除き、他の３つの辺は左側邊２０１、右側２０２と、後側２０３に３本の貼り合わせ線２２、２３、２４を設けて、紙シート１０表面にシールし、開口部２１は粘着テープ１４に向かって設け、３本の貼り合わせ線２２、２３、２４は、後側２０３の内側の短い貼り合わせ線２４ａは中央部がアーチ状２４１ａで両端がしゃくし形２４２ａ、２４３ａの屈折を形成し、この短い貼り合わせ線２４ａは他の貼り合わせ線２４に連絡されない、しゃくし形２４２ａ、２４３ａで囲まれた空間は消毒変色インク１３ａ、１３ｂの所在空間である。
【００１５】
前記の構成により、消毒剤は医療用粘着袋の紙シート１０より袋内部空間１２に進入し、印字区域１１は３本の貼り合わせ線２２、２３、２４によって制限されているため、インク侵入により内容物を汚染する問題がない。３本の貼り合わせ線２２、２３、２４によって、袋内部空間１２の保護効果が強化されており、袋内部空間１２に固い内容物を入れても、医療用粘着袋は固い内容物によって破れることはない。医療用粘着袋を消毒釜内部で重ね置きされても、短い貼り合わせ線２４ａのアーチ状２４１ａは保護区域を形成し、固い内容物によって破れることなく、消毒剤はしゃくし形２４２ａ、２４３ａの空間より進入し、消毒変色インク１３ａ、１３ｂを変色させることができる。フィルム２０は破れにくいフィルムであり、ポリエステルフィルム（ｐｏｌｙｅｓｔｅｒ  ｆｉｌｍ）またはポリプロピレンフィルム（ｐｏｌｙｐｒｏｐｙｌｅｎｅ  ｆｉｌｍ）を使用し、フィルム２０は破れることなく、紙シート１０より完全に剥がすことができ、内容物３０を図３に示す所定位置に入れることができる。
【００１６】
図２、図３に示す通り、使用するときに、医療用粘着袋のフィルム２０と紙シート１０との間の開口部２１に内容物３０を入れた後、離型紙１４１を剥がして紙シート１０の粘着テープ１４部分は、裁断線１５を折り返して開口部２１をシールしておき、内容物３０をもれないように袋内部空間１２が完全にシールされた上、医療用粘着袋を消毒釜に入れて消毒を実施し、消毒完了後には消毒変色インク１３ａ、１３ｂが変色し、消毒完了を示す。
【００１７】
図４を参照する。医療用粘着袋を使用するときに、紙シート１０の切欠き１６よりフィルム２０を掴み、フィルム２０を紙シート１０から剥がし、内容物３０を所定位置に入れることができる。前記フィルム２０は破れにくいフィルム２０でできており、破れることなく紙シート１０と完全に分離し清浄状態のままで内容物３０の器材を所定位置に入れることができる。
【００１８】
本考案に係る好ましい実施例において、２つの消毒変色インク１３ａ、１３ｂは、それぞれ異なる種類の複数のパラメータの消毒剤を含まれているため、異なる消毒方法に適用できる。たとえば、消毒変色インク１３ａは蒸気消毒法に適用できる。複数のパラメータを含む消毒指示剤は、消毒時間、消毒温度と蒸気含有量を同時に検知できるため、この３つのパラメータがすべてある所定値に達した後に、消毒変色インクが変色を引き起し、袋内部空間１２の内容物が完全に消毒されたことを示す。消毒変色インク１３ａの初期色は赤色であり、完全消毒した後に、こげ茶色に変わる。
【００１９】
さらに、消毒変色インク１３ｂは化学ガス消毒法で常用の化学ガスはエチレンオキシド（ｅｔｈｙｌｅｎｅ  ｏｘｉｄｅ）であり、消毒変色インク１３ｂを含む複数のパラメータの消毒指示剤は消毒時間、消毒温度とエチレンオキシド含有量の検出機能を有し、この３つのパラメータ条件がすべて所定値に達した後、消毒変色インクが変色を引き起し、袋内部空間１２の内容物が完全に消毒されたことを示す。消毒変色インク１３ａの初期色は青／灰色であり、完全消毒した後は金／茶色に変わる。
【００２０】
また、図１ないし４に示す通り、前記２つの消毒変色インク１３ａ、１３ｂのほか、さらに、２つの対照変色インク１７ａ、１７ｂを設けても良い。２つの対照変色インク１７ａ、１７ｂの成分は前記２つの消毒変色インク１３ａ、１３ｂと同じですが、対照変色インク１７ａ、１７ｂは３本の貼り合わせ線２２、２３、２４の外部、すなわち、袋内部空間１２の使用範囲の外部に設けられる。このような配置は、消毒を対照する目的であり、消毒時間、消毒温度の不足のときは、対照変色インク１７ａ、１７ｂのみが変色し消毒変色インク１３ａ、１３ｂに変色は起きない。
【００２１】
蒸気消毒法の完全消毒の条件は、カ氏２５０度の蒸気に１０分間を晒し、化学ガス消毒法の完全消毒の条件は、８ ｐｓｉとカ氏１３５度のエチレンオキシド雰囲気に６０分間を晒す。
【００２２】
以上は本考案の好適実施例の技術特徴を説明しているが、当業者の本考案による精神と範疇に基づいた変更と修整とも本考案が以下に請求する実用新案登録範疇に含まれる。
【産業上の利用可能性】
【００２３】
本考案による増強効果：
イ．本考案に係る消毒変色インクは袋内部空間に印刷され、短い貼り合わせ線により、収納空間と適切に仕切ることにより、袋内部収容物の滅菌効果を確認できる。
【００２４】
ロ．本考案に係る消毒変色インクを袋内部空間に印字されているため、公知技術に係る変色指示テープを袋内部に取り付けるプロセス手順が省けられるほか、実務の消毒条件に合致している。
【００２５】
ハ．本考案すべての印刷区域は、袋内部空間の消毒袋使用範囲の外部であり、消毒紙の破損とインク汚染を避けられる。
【００２６】
二．本考案は、特殊な破れにくいフィルムを使用しているため、消毒物品を取り出すときの汚染を防止し、器材を清浄状態に所定の場所に入れることができる。
【００２７】
ホ．本考案に係る短い貼り合わせ線により、内容物と消毒変色インクとの接触は遮断される。
【００２８】
へ．本考案に係る短い貼り合わせ線は、袋内部保護区域を形成し、はさみや鉗子固い内容物に刺されて、医療用粘着袋の破損を防止できる。
【００２９】
ト．ＩＳＯおよび米国ＣＤＣ（Ｃｅｎｔｅｒｓ  ｆｏｒ  Ｄｉｓｅａｓｅ  ｃｏｎｔｏｒｌ  ａｎｄ  ｐｒｅｓｎｔａｔｉｏｎ  ｇｕｉｄｅｌｉｎｅｓ）関連法規によると、滅菌消毒を有効に確認するパラメータは、時間、温度および消毒剤との接触である。このため、本考案を利用する製品は、すでに国際的な法規要求に合致している。
【符号の説明】
【００３０】
１０  紙シート
１１  印字区域
１２  袋内部空間
１３ａ、１３ｂ  消毒変色インク
１４  粘着テープ
１４１  離型紙
１５  裁断線
１６  切欠き
１７ａ、１７ｂ  対照変色インク
２０  フィルム
２１  開口部
２０１  左側
２０２  右側
２０３  後側
２２、２３、２４  貼り合わせ線
２４ａ  短い貼り合わせ線
２４１ａ  アーチ状
２４２ａ、２４３ａ  しゃくし形
３０  内容物
【図１】
0003153929.tif 000003
【図２】
0003153929.tif 000004
【図３】
0003153929.tif 000005
【図４】
0003153929.tif 000006